(57)【特許請求の範囲】
【請求項１】
カムを有するかごと、
前記かごの移動を案内するガイドレールと、
潤滑油が溜められたタンクと潤滑油の流路を開閉する弁装置とを有する給油装置と、
前記かごが上昇制限位置に達すると前記カムに押されて変位するローラを有し、前記ローラが変位すると前記かごが上方に移動することを禁止するための禁止信号を出力する検出器と、
前記検出器及び前記弁装置に繋がれ、前記ローラが変位すると前記給油装置から前記ガイドレールに潤滑油を供給させる連動手段と、
特定の異常を検出するための診断運転を行う制御装置と、
を備え、
前記給油装置は、前記かごが前記上昇制限位置に停止している間、前記ガイドレールに潤滑油を供給し、
前記制御装置は、検出された異常に応じて、前記かごを前記上昇制限位置に停止させる時間を決定するエレベーター装置。
【請求項２】
カムを有するかごと、
前記かごの移動を案内するガイドレールと、
潤滑油が溜められたタンクと潤滑油の流路を開閉する弁装置とを有する給油装置と、
前記かごが下降制限位置に達すると前記カムに押されて変位するローラを有し、前記ローラが変位すると前記かごが下方に移動することを禁止するための禁止信号を出力する検出器と、
前記検出器及び前記弁装置に繋がれ、前記ローラが変位すると前記給油装置から前記ガイドレールに潤滑油を供給させる連動手段と、
特定の異常を検出するための診断運転を行う制御装置と、
を備え、
前記給油装置は、前記かごが前記下降制限位置に停止している間、前記ガイドレールに潤滑油を供給し、
前記制御装置は、検出された異常に応じて、前記かごを前記下降制限位置に停止させる時間を決定するエレベーター装置。
【請求項３】
前記検出器は、
前記ローラが変位すると禁止信号を出力する本体と、
前記本体に回転可能に設けられ、前記ローラが設けられた支持腕と、
を備え、
前記連動手段は前記支持腕に接続された請求項１又は請求項２に記載のエレベーター装置。
【請求項４】
前記弁装置は、
前記連動手段が接続された閉塞体と、
前記流路が閉塞されるように前記閉塞体を押し付ける弾性体と、
を備え、
前記閉塞体は、前記ローラが変位することによって前記連動手段に引っ張られ、前記弾性体の押し付け力に抗して変位する請求項１から請求項３の何れか一項に記載のエレベーター装置。
【請求項５】
前記かごが移動する方向とは反対の方向に移動するつり合いおもりと、
前記つり合いおもりの移動を案内する第２ガイドレールと、
を更に備え、
前記給油装置は、前記ローラが変位すると前記第２ガイドレールに潤滑油を供給する請求項１から請求項４の何れか一項に記載のエレベーター装置。
【請求項６】
昇降路の頂部に配置され、前記かごを駆動する巻上機と、
前記巻上機を支持する支持体と、
を更に備え、
前記給油装置は、前記巻上機又は前記支持体に設けられた請求項１から請求項５の何れか一項に記載のエレベーター装置。
【請求項７】
カムを有するかごと、
前記かごが移動する方向とは反対の方向に移動するつり合いおもりと、
前記つり合いおもりの移動を案内するガイドレールと、
潤滑油が溜められたタンクと潤滑油の流路を開閉する弁装置とを有する給油装置と、
前記かごが上昇制限位置に達すると前記カムに押されて変位するローラを有し、前記ローラが変位すると前記かごが上方に移動することを禁止するための禁止信号を出力する検出器と、
前記検出器及び前記弁装置に繋がれ、前記ローラが変位すると前記給油装置から前記ガイドレールに潤滑油を供給させる連動手段と、
特定の異常を検出するための診断運転を行う制御装置と、
を備え、
前記給油装置は、前記かごが前記上昇制限位置に停止している間、前記ガイドレールに潤滑油を供給し、
前記制御装置は、検出された異常に応じて、前記かごを前記上昇制限位置に停止させる時間を決定するエレベーター装置。
【請求項８】
カムを有するかごと、
前記かごが移動する方向とは反対の方向に移動するつり合いおもりと、
前記つり合いおもりの移動を案内するガイドレールと、
潤滑油が溜められたタンクと潤滑油の流路を開閉する弁装置とを有する給油装置と、
前記かごが下降制限位置に達すると前記カムに押されて変位するローラを有し、前記ローラが変位すると前記かごが下方に移動することを禁止するための禁止信号を出力する検出器と、
前記検出器及び前記弁装置に繋がれ、前記ローラが変位すると前記給油装置から前記ガイドレールに潤滑油を供給させる連動手段と、
特定の異常を検出するための診断運転を行う制御装置と、
を備え、
前記給油装置は、前記かごが前記下降制限位置に停止している間、前記ガイドレールに潤滑油を供給し、
前記制御装置は、検出された異常に応じて、前記かごを前記下降制限位置に停止させる時間を決定するエレベーター装置。
【発明の詳細な説明】
【技術分野】
【０００１】
この発明は、エレベーター装置に関する。
【背景技術】
【０００２】
特許文献１に、エレベーター装置が記載されている。特許文献１に記載されたエレベーター装置は、ガイドレールに給油するための給油装置を備える。給油装置は、ガイドレールの頂部に取り付けられる。かごに設けられた油塗布部が給油装置に下方から接触することにより、給油装置から油塗布部に潤滑油が供給される。
【先行技術文献】
【特許文献】
【０００３】
【特許文献１】特開平８−１３３６２９号公報
【発明の概要】
【発明が解決しようとする課題】
【０００４】
特許文献１に記載されたエレベーター装置では、かごに設けられたカムがアップリミットスイッチに接触する際に油塗布部が給油装置に接触する。上記カムがアップリミットスイッチに接触すると、かごはそれ以上上方に移動することができない。このため、給油装置の設置位置が僅かでも上方にずれると、油塗布部は給油装置に接触しない。カムがアップリミットスイッチに接触する高さに合わせて給油装置を適切に配置しなければならず、設置作業が困難になるといった問題があった。
【０００５】
この発明は、上述のような課題を解決するためになされた。この発明の目的は、ガイドレールに給油することができ、且つ給油のための装置を容易に設置することができるエレベーター装置を提供することである。
【課題を解決するための手段】
【０００６】
この発明に係るエレベーター装置は、カムを有するかごと、かごの移動を案内するガイドレールと、潤滑油が溜められたタンクと潤滑油の流路を開閉する弁装置とを有する給油装置と、かごが上昇制限位置に達するとカムに押されて変位するローラを有し、ローラが変位するとかごが上方に移動することを禁止するための禁止信号を出力する検出器と、検出器及び弁装置に繋がれ、ローラが変位すると給油装置からガイドレールに潤滑油を供給させる連動手段と、特定の異常を検出するための診断運転を行う制御装置と、を備える。給油装置は、かごが上昇制限位置に停止している間、ガイドレールに潤滑油を供給する。制御装置は、検出された異常に応じて、かごを上昇制限位置に停止させる時間を決定する。
【０００７】
この発明に係るエレベーター装置は、カムを有するかごと、かごの移動を案内するガイドレールと、潤滑油が溜められたタンクと潤滑油の流路を開閉する弁装置とを有する給油装置と、かごが下降制限位置に達するとカムに押されて変位するローラを有し、ローラが変位するとかごが下方に移動することを禁止するための禁止信号を出力する検出器と、検出器及び弁装置に繋がれ、ローラが変位すると給油装置からガイドレールに潤滑油を供給させる連動手段と、特定の異常を検出するための診断運転を行う制御装置と、を備える。給油装置は、かごが下降制限位置に停止している間、ガイドレールに潤滑油を供給する。制御装置は、検出された異常に応じて、かごを下降制限位置に停止させる時間を決定する。
【０００８】
この発明に係るエレベーター装置は、カムを有するかごと、かごが移動する方向とは反対の方向に移動するつり合いおもりと、つり合いおもりの移動を案内するガイドレールと、潤滑油が溜められたタンクと潤滑油の流路を開閉する弁装置とを有する給油装置と、かごが上昇制限位置に達するとカムに押されて変位するローラを有し、ローラが変位するとかごが上方に移動することを禁止するための禁止信号を出力する検出器と、検出器及び弁装置に繋がれ、ローラが変位すると給油装置からガイドレールに潤滑油を供給させる連動手段と、特定の異常を検出するための診断運転を行う制御装置と、を備える。給油装置は、かごが上昇制限位置に停止している間、ガイドレールに潤滑油を供給する。制御装置は、検出された異常に応じて、かごを上昇制限位置に停止させる時間を決定する。
【０００９】
この発明に係るエレベーター装置は、カムを有するかごと、かごが移動する方向とは反対の方向に移動するつり合いおもりと、つり合いおもりの移動を案内するガイドレールと、潤滑油が溜められたタンクと潤滑油の流路を開閉する弁装置とを有する給油装置と、かごが下降制限位置に達するとカムに押されて変位するローラを有し、ローラが変位するとかごが下方に移動することを禁止するための禁止信号を出力する検出器と、検出器及び弁装置に繋がれ、ローラが変位すると給油装置からガイドレールに潤滑油を供給させる連動手段と、特定の異常を検出するための診断運転を行う制御装置と、を備える。給油装置は、かごが下降制限位置に停止している間、ガイドレールに潤滑油を供給する。制御装置は、検出された異常に応じて、かごを下降制限位置に停止させる時間を決定する。
【発明の効果】
【００１０】
この発明に係るエレベーター装置であれば、ガイドレールに給油することができ、且つ給油のための装置を容易に設置することができる。
【図面の簡単な説明】
【００１１】
【図１】この発明の実施の形態１におけるエレベーター装置の例を示す図である。
【図２】エレベーター装置の構成例を示す図である。
【図３】ガイドレールへの給油動作を説明するための図である。
【図４】この発明の実施の形態１におけるエレベーター装置の動作例を示すフローチャートである。
【図５】この発明の実施の形態１におけるエレベーター装置の他の例を示す図である。
【発明を実施するための形態】
【００１２】
添付の図面を参照し、本発明を説明する。重複する説明は、適宜簡略化或いは省略する。各図において、同一の符号は同一の部分又は相当する部分を示す。
【００１３】
実施の形態１．
図１は、この発明の実施の形態１におけるエレベーター装置の例を示す図である。図２は、エレベーター装置の構成例を示す図である。エレベーター装置は、かご１及びつり合いおもり２を備える。かご１は、昇降路３を上下に移動する。つり合いおもり２は、昇降路３を上下に移動する。かご１及びつり合いおもり２は、主ロープ４によって昇降路３に吊り下げられる。かご１及びつり合いおもり２を吊り下げるためのローピングの方式は、図１に示す例に限定されない。
【００１４】
主ロープ４は、巻上機５の駆動綱車６に巻き掛けられる。巻上機５は、かご１を駆動するための装置である。巻上機５は、制御装置７によって制御される。即ち、制御装置７は、駆動綱車６の回転及び停止を制御する。図１は、巻上機５及び制御装置７が機械室８に設けられる例を示す。
【００１５】
駆動綱車６が回転すると、駆動綱車６が回転した方向に応じた方向に主ロープ４が移動する。主ロープ４が移動する方向に応じてかご１は上昇或いは下降する。かご１の移動は、ガイドレール９によって案内される。図１は、ガイドレール９が一対のレールを備える例を示す。かご１は、上記レールの間に配置される。
【００１６】
つり合いおもり２は、かご１が移動する方向とは反対の方向に移動する。つり合いおもり２の移動は、ガイドレール１０によって案内される。図１は、ガイドレール１０が一対のレールを備える例を示す。つり合いおもり２は、上記レールの間に配置される。
【００１７】
制御装置７は、乗場１１の位置に合わせてかご１を停止させる。図１は、かご１が最上階の乗場１１に停止した状態を示す。かご１は、カム１２を備える。
【００１８】
昇降路３の頂部に、スイッチ１３（検出器）及びスイッチ１４が設けられる。スイッチ１３は、ローラ１５を備える。ローラ１５は、かご１が上昇制限位置に達するとカム１２に押されて変位する。上昇制限位置は、かご１の上昇を制限するための位置である。上昇制限位置は、最上階の乗場１１の停止位置より上方に設定される。即ち、かご１が最上階の乗場１１に停止してもカム１２はローラ１５に接触しない。例えば、上昇制限位置は、最上階の乗場１１の停止位置より３０ｍｍ上方に設定される。
【００１９】
かご１が上昇制限位置に達することによってローラ１５がカム１２に押されると、スイッチ１３は禁止信号を出力する。スイッチ１３から出力される禁止信号は、かご１がそれ以上上方に移動することを禁止するための信号である。スイッチ１３から出力された禁止信号は、制御装置７に入力される。制御装置７は、スイッチ１３から禁止信号を受信すると、かご１が上昇制限位置より上方に移動することを禁止する。なお、スイッチ１３から禁止信号が出力されても、上昇制限位置からかご１を下方に移動させることは可能である。
【００２０】
スイッチ１４は、ローラ１６を備える。ローラ１６は、かご１が第１走行制限位置に達するとカム１２に押されて変位する。第１走行制限位置は、かご１の走行を制限するための位置である。第１走行制限位置は、上昇制限位置より上方に設定される。即ち、かご１が上昇制限位置に達してもカム１２はローラ１６に接触しない。
【００２１】
かご１が第１走行制限位置に達することによってローラ１６がカム１２に押されると、スイッチ１４は禁止信号を出力する。スイッチ１４から出力される禁止信号は、かご１の移動を禁止するための信号である。スイッチ１４から出力された禁止信号は、制御装置７に入力される。制御装置７は、スイッチ１４から禁止信号を受信すると、かご１が移動することを禁止する。
【００２２】
昇降路３の下部に、スイッチ１７（検出器）及びスイッチ１８が設けられる。スイッチ１７は、ローラ１９を備える。ローラ１９は、かご１が下降制限位置に達するとカム１２に押されて変位する。下降制限位置は、かご１の下降を制限するための位置である。下降制限位置は、最下階の乗場１１の停止位置より下方に設定される。即ち、かご１が最下階の乗場１１に停止してもカム１２はローラ１９に接触しない。例えば、下降制限位置は、最下階の乗場１１の停止位置より３０ｍｍ下方に設定される。
【００２３】
かご１が下降制限位置に達することによってローラ１９がカム１２に押されると、スイッチ１７は禁止信号を出力する。スイッチ１７から出力される禁止信号は、かご１がそれ以上下方に移動することを禁止するための信号である。スイッチ１７から出力された禁止信号は、制御装置７に入力される。制御装置７は、スイッチ１７から禁止信号を受信すると、かご１が下降制限位置より下方に移動することを禁止する。なお、スイッチ１７から禁止信号が出力されても、下降制限位置からかご１を上方に移動させることは可能である。
【００２４】
スイッチ１８は、ローラ２０を備える。ローラ２０は、かご１が第２走行制限位置に達するとカム１２に押されて変位する。第２走行制限位置は、かご１の走行を制限するための位置である。第２走行制限位置は、下降制限位置より下方に設定される。即ち、かご１が下降制限位置に達してもカム１２はローラ２０に接触しない。
【００２５】
かご１が第２走行制限位置に達することによってローラ２０がカム１２に押されると、スイッチ１８は禁止信号を出力する。スイッチ１８から出力される禁止信号は、かご１の移動を禁止するための信号である。スイッチ１８から出力された禁止信号は、制御装置７に入力される。制御装置７は、スイッチ１８から禁止信号を受信すると、かご１が移動することを禁止する。
【００２６】
ガイドレール９の頂部に、ガイドレール９に潤滑油を供給するための給油装置２１が設けられる。給油装置２１は、給油ケーブル２２によってスイッチ１３と繋がれる。以下に、図３も参照し、スイッチ１３、給油装置２１及び給油ケーブル２２の機能について詳しく説明する。図３は、ガイドレール９への給油動作を説明するための図である。
【００２７】
スイッチ１３は、ローラ１５の他に、例えば本体２３及び支持腕２４を備える。ローラ１５は、支持腕２４の一方の端部に回転可能に設けられる。支持腕２４の中間部に軸２５が設けられる。支持腕２４は、軸２５を介して本体２３に回転可能に設けられる。本体２３は、ローラ１５が変位し、例えば支持腕２４の回転角度が基準角度に達すると、制御装置７に禁止信号を出力する。支持腕２４のもう一方の端部に給油ケーブル２２の一方の端部が接続される。
【００２８】
給油装置２１は、例えばタンク２６、供給管２７及び弁装置２８を備える。
【００２９】
タンク２６に潤滑油が溜められる。潤滑油は、ガイドレール９に供給するための油である。供給管２７に供給口２９が形成される。タンク２６に溜められた潤滑油は、供給管２７を通り、供給口２９からガイドレール９に供給される。
【００３０】
弁装置２８は、潤滑油が流れる流路３０を開閉する。流路３０は、タンク２６の出口から供給口２９に至る流路である。弁装置２８は、例えば閉塞体３１及び弾性体３２を備える。
【００３１】
閉塞体３１は、流路３０を閉塞する位置及び開放する位置に配置される。閉塞体３１に給油ケーブル２２の他方の端部が接続される。弾性体３２は、流路３０が閉塞するように閉塞体３１を押し付ける。弁装置２８に外力が作用しなければ、閉塞体３１が弾性体３２に押し付けられることによって流路３０が閉塞体３１に塞がれる。かかる状態では、給油装置２１からガイドレール９に潤滑油は供給されない。
【００３２】
給油ケーブル２２は、給油装置２１の弁装置２８をスイッチ１３のローラ１５に連動させる手段の一例である。給油ケーブル２２は、上述したように、スイッチ１３と弁装置２８とに繋がれる。図１及び図３に示す例では、弁装置２８をローラ１５に連動させるため、給油ケーブル２２が複数の滑車３３に巻き掛けられる。給油ケーブル２２は、滑車３３に巻き掛けられることによって方向転換される。
【００３３】
上記構成を有するエレベーター装置では、かご１が上昇制限位置に達すると、ローラ１５がカム１２に押されて図３のＡ方向に変位する。また、支持腕２４が軸２５を中心にＡ方向に回転することにより、給油ケーブル２２が図３のＢ方向に引っ張られる。カム１２がローラ１５に接触していなければ、閉塞体３１は、流路３０を閉塞する位置に配置される。ローラ１５がカム１２に押されて変位することにより、閉塞体３１は給油ケーブル２２に引っ張られ、弾性体３２の押し付け力に抗して変位する。図３に示す例であれば、閉塞体３１は上方に移動し、流路３０を開放する位置に配置される。流路３０が開放されることにより、タンク２６に溜められていた潤滑油が流路３０を通り、供給口２９からガイドレール９に供給される。
【００３４】
上記構成を有するエレベーター装置であれば、かご１を上昇制限位置に配置することによってガイドレール９に潤滑油を供給することができる。給油装置２１にポンプ機構等を備える必要もない。また、弁装置２８が給油ケーブル２２によってローラ１５に繋がれているため、ローラ１５を変位させれば給油装置２１からガイドレール９に潤滑油を供給することができる。カム１２がローラ１５に接触する位置に合わせて給油装置２１の位置を微調整する必要はない。このため、給油装置２１の設置を容易に行うことができる。
【００３５】
次に、図４も参照し、ガイドレール９に潤滑油を供給する動作について説明する。図４は、この発明の実施の形態１におけるエレベーター装置の動作例を示すフローチャートである。図４は、診断運転においてガイドレール９に潤滑油を供給する例を示す。
【００３６】
制御装置７は、例えば診断運転を開始するための開始条件が成立したか否かを判定する（Ｓ１０１）。診断運転は、エレベーター装置に発生した特定の異常を検出するための運転である。診断運転は、例えば定期的に行われる。診断運転の開始時刻が予め登録されている場合、制御装置７は、現在時刻が開始時刻になり且つかご１が無人であることが検出されると開始条件が成立したことを判定する。
【００３７】
制御装置７は、開始条件が成立すると、診断運転を開始する（Ｓ１０２）。診断運転では、異常を検出するための各種動作が行われる（Ｓ１０３）。例えば、制御装置７は、かご１を移動させて種々の信号を取得する。制御装置７は、例えば巻上機５のトルク信号を取得する。制御装置７は、例えばかご１に備えられたマイクから音声信号を取得する。制御装置７は、取得した信号を予め登録された基準値と比較する。制御装置７は、取得した信号が基準値を超えている場合に異常の発生を検出する。制御装置７は、異常の発生を複数のレベルで検出しても良い。かかる場合、制御装置７に、レベル毎の基準値が予め登録される。
【００３８】
制御装置７は、診断運転においてかご１を上昇制限位置に停止させる（Ｓ１０５）。かご１が上昇制限位置に配置されると、スイッチ１３から禁止信号が出力される。スイッチ１３から出力された禁止信号は制御装置７に入力される。制御装置７は、かご１を上昇制限位置に配置することにより、スイッチ１３の動作確認を行う。
【００３９】
本実施の形態に示す例では、かご１が上昇制限位置に停止している間、給油装置２１からガイドレール９に潤滑油が供給される。制御装置７は、かご１を上昇制限位置に停止させる時間を、検出された異常に応じて決定しても良い（Ｓ１０４）。例えば、制御装置７は、検出された異常のレベルが高いほど、かご１が上昇制限位置に長く停止するように停止時間を決定する。制御装置７は、検出された異常の種類に応じて、かご１を上昇制限位置に停止させる時間を決定しても良い。例えば、制御装置７は、かご１を上昇制限位置に停止させる時間を、５秒、１０秒及び１５秒といった複数の設定時間から選択しても良い。
【００４０】
制御装置７は、かご１を上昇制限位置に停止させる時間を決定すると、その決定した時間だけかご１を上昇制限位置に停止させる（Ｓ１０５）。これにより、給油装置２１からガイドレール９に潤滑油が供給される。制御装置７は、Ｓ１０４で決定した時間だけかご１を上昇制限位置に停止させると、かご１を下降させて、例えば最上階の乗場１１に停止させる。
【００４１】
制御装置７は、診断運転が終了すると通常運転を開始する（Ｓ１０６）。
【００４２】
図４に示す例であれば、ガイドレール９への潤滑油の供給を定期的に行うことができる。また、図４に示す例であれば、潤滑油の不足が原因の一つとして考えられる異常が検出された場合に、ガイドレール９に供給する潤滑油の量を多くするといった適切な制御を行うことが可能となる。なお、ガイドレール９に潤滑油を供給するタイミングは図４に示す例に限定されない。
【００４３】
エレベーター装置は、給油装置３４を備えても良い。給油装置３４は、ガイドレール１０に潤滑油を供給するための装置である。給油装置３４は、ガイドレール１０の頂部に設けられる。給油装置３４の構成は、給油装置２１の構成と基本的に同じである。給油装置３４は、給油ケーブル３５によってスイッチ１３と繋がれる。給油ケーブル３５の給油装置３４に対する機能は、給油ケーブル２２の給油装置２１に対する機能と基本的に同じである。給油ケーブル３５は、例えば給油ケーブル２２が接続されている支持腕２４の端部に一方の端部が接続される。
【００４４】
給油装置３４は、例えばタンク、供給管及び弁装置を備える。給油装置３４に備えられたタンク、供給管及び弁装置の各機能は、給油装置２１に備えられたタンク２６、供給管２７及び弁装置２８の各機能と同様である。例えば、タンクに潤滑油が溜められる。タンクに溜められた潤滑油は、供給管を通り、供給管に形成された供給口からガイドレール１０に供給される。
【００４５】
弁装置は、潤滑油が流れる流路を開閉する。弁装置は、例えば閉塞体及び弾性体を備える。給油装置３４の弁装置に備えられた閉塞体及び弾性体の各機能は、給油装置２１の弁装置に備えられた閉塞体３１及び弾性体３２の各機能と同様である。例えば、閉塞体に給油ケーブル３５の他方の端部が接続される。弾性体は、流路が閉塞するように閉塞体を押し付ける。給油ケーブル３５は、給油装置３４の弁装置をスイッチ１３のローラ１５に連動させる手段の一例である。ローラ１５がカム１２に押されて変位することにより、給油装置３４の閉塞体は給油ケーブル３５に引っ張られ、弾性体の押し付け力に抗して変位する。これによって流路が開放され、タンクに溜められていた潤滑油がガイドレール１０に供給される。
【００４６】
エレベーター装置は、給油装置２１を備えずに給油装置３４のみを備えても良い。
【００４７】
図５は、この発明の実施の形態１におけるエレベーター装置の他の例を示す図である。図５は、エレベーター装置に機械室８が備えられていない例を示す。巻上機５及び制御装置７は、例えば昇降路３の頂部に配置される。例えば、巻上機５は、昇降路３の頂部に設けられた支持体３６に支持される。
【００４８】
巻上機５が昇降路３の頂部に配置される場合、給油装置２１は、例えば巻上機５或いは支持体３６に設けられる。図５は、給油装置２１が巻上機５の側面に固定される例を示す。また、図５は、給油装置２１がガイドレール９に延びる供給管２７ａとガイドレール１０に延びる供給管２７ｂとを備える例を示す。即ち、図５に示す例では、ローラ１５がカム１２に押されて変位すると、ガイドレール９及びガイドレール１０の双方に対して給油装置２１から潤滑油が供給される。
【００４９】
なお、給油装置２１は、供給管２７ｂを備えずに供給管２７ａのみを備えても良い。給油装置２１は、供給管２７ａを備えずに供給管２７ｂのみを備えても良い。即ち、給油装置２１からガイドレール９のみに潤滑油を供給しても良いし、ガイドレール１０のみに潤滑油を供給しても良い。
【００５０】
本実施の形態では、かご１が上昇制限位置に配置されている際に潤滑油の供給を行う例について説明した。これは一例である。潤滑油の供給は、かご１が下降制限位置に配置されている際に行っても良い。
【００５１】
例えば、図１に示す例において、給油装置２１は給油ケーブル２２によってスイッチ１７と繋がれる。かかる場合、給油ケーブル２２は、給油装置２１の弁装置２８をスイッチ１７のローラ１９に連動させる手段の一例である。例えば、ローラ１９が回転可能に設けられたスイッチ１７の支持腕の端部に、給油ケーブル２２の一方の端部が接続される。
【００５２】
このような構成を有するエレベーター装置では、かご１が下降制限位置に達すると、ローラ１９がカム１２に押されて変位する。ローラ１９がカム１２に押されて変位することにより、閉塞体３１は給油ケーブル２２に引っ張られ、弾性体３２の押し付け力に抗して変位する。これによって流路３０が開放され、タンク２６に溜められていた潤滑油が流路３０を通り、供給口２９からガイドレール９に供給される。
【００５３】
エレベーター装置がこのような構成を有する場合、制御装置７は、かご１を下降制限位置に停止させる時間を、検出された異常に応じて決定しても良い。制御装置７は、Ｓ１０５において、Ｓ１０４で決定した時間だけかご１を下降制限位置に停止させる。かご１が下降制限位置に停止している間、給油装置２１からガイドレール９に潤滑油が供給される。制御装置７は、Ｓ１０４で決定した時間だけかご１を下降制限位置に停止させると、かご１を上昇させて、例えば最下階の乗場１１に停止させる。
【００５４】
なお、図１に示す例において、給油装置３４の弁装置を給油ケーブル３５によってスイッチ１７のローラ１９に繋いでも良い。また、図５に示す例において、給油装置２１の弁装置２８を給油ケーブル２２によってスイッチ１７のローラ１９に繋いでも良い。
【００５５】
制御装置７は、ハードウェア資源として、例えばプロセッサ３７とメモリ３８とを含む処理回路を備える。制御装置７は、メモリ３８に記憶されたプログラムをプロセッサ３７によって実行することにより、上述した各機能を実現する。制御装置７が有する各機能の一部又は全部をハードウェアによって実現しても良い。
【符号の説明】
【００５６】
１  かご、  ２  つり合いおもり、  ３  昇降路、  ４  主ロープ、  ５  巻上機、  ６  駆動綱車、  ７  制御装置、  ８  機械室、  ９  ガイドレール、  １０  ガイドレール、  １１  乗場、  １２  カム、  １３  スイッチ、  １４  スイッチ、  １５  ローラ、  １６  ローラ、  １７  スイッチ、  １８  スイッチ、  １９  ローラ、  ２０  ローラ、  ２１  給油装置、  ２２  給油ケーブル、  ２３  本体、  ２４  支持腕、  ２５  軸、  ２６  タンク、  ２７  供給管、  ２８  弁装置、  ２９  供給口、  ３０  流路、  ３１  閉塞体、  ３２  弾性体、  ３３  滑車、  ３４  給油装置、  ３５  給油ケーブル、  ３６  支持体、  ３７  プロセッサ、  ３８  メモリ
【図１】
0006544298.tif 000002
【図２】
0006544298.tif 000003
【図３】
0006544298.tif 000004
【図４】
0006544298.tif 000005
【図５】
0006544298.tif 000006